(57)【要約】      （修正有）【課題】フィードチェーンは、ピンのまわりに内プレートが相対回転することにより屈曲するから、内プレートの孔の内周面が軸受面積となり、軸受面積が小さいことにより耐久性が十分なく、バーリングタイプは、実質的な軸受面積を増大させることができるが、バーリング高さに加工上の限界があり、十分な耐久性を実現することが困難である。各ピンをブッシュに相対回転自在に挿通することによって、十分な耐久性を容易に実現することができる農業機械用のフィードチェーンを提供する。【解決手段】ブッシュ２１、２１を介して連結する内プレート１１、１１と、ブッシュ２１、２１に挿通するピン２２、２２を介して連結する外プレート１２、１２とを交互に屈曲自在に連結し、各ブッシュ２１に対してローラ２３を相対回転自在に装着する。【選択図】図１
2009225745.tif 000002
【特許請求の範囲】
【請求項１】
両端部のブッシュを介して連結する左右の内プレートと、前記ブッシュに相対回転自在に挿通するピンを介して連結する左右の外プレートとを交互に屈曲自在に連結してなり、前記内プレート、外プレートは、それぞれ片側の一辺を同方向の山形に形成し、前記各ブッシュには、ローラを相対回転自在に装着することを特徴とする農業機械用のフィードチェーン。
【請求項２】
前記各ブッシュは、前記内プレートの外面に突出する先端を介して、前記内プレート、外プレートの間に介装するシール材を保持することを特徴とする請求項１記載の農業機械用のフィードチェーン。
【請求項３】
前記シール材は、Ｏリングであることを特徴とする請求項２記載の農業機械用のフィードチェーン。
【発明の詳細な説明】
【技術分野】
【０００１】
この発明は、コンバインなどの農業機械において、穀稈の搬送用などに広く使用されている農業機械用のフィードチェーンに関する。
【背景技術】
【０００２】
農業機械用のフィードチェーンは、日本工業規格（ＪＩＳ）にも制定されている（ＪＩＳ  Ｂ  ９２０４）。
【０００３】
ＪＩＳに制定されているフィードチェーンは、ピンを介して左右の内プレート、外プレートを交互に屈曲自在に連結し、各ピンには、ローラが回転自在に装着されている。内プレート、外プレートは、それぞれ片側の一辺を同方向の山形に形成し、各ピンの両端は、外プレートの両端部のピン孔に挿通して相対回転不能にかしめられている。また、各内プレートは、両端部の孔に各ピンを相対回転自在に挿通することにより、ピン上のローラを介して各外プレートの直近内側に位置決めされている。なお、ＪＩＳには、各内プレートの孔を内側にバーリング加工するバーリングタイプも併せて制定されている。
【非特許文献１】ＪＩＳ  Ｂ  ９２０４−１９９４
【発明の開示】
【発明が解決しようとする課題】
【０００４】
かかる従来技術によるときは、フィードチェーンは、ピンのまわりに内プレートが相対回転することにより屈曲するから、内プレートの孔の内周面が軸受面積となり、軸受面積が小さいことにより耐久性が十分でないという問題があった。なお、バーリングタイプは、実質的な軸受面積を増大させることができるが、バーリング高さに加工上の限界があり、十分な耐久性を実現することが困難である。
【０００５】
そこで、この発明の目的は、かかる従来技術の問題に鑑み、各ピンをブッシュに相対回転自在に挿通することによって、十分な耐久性を容易に実現することができる農業機械用のフィードチェーンを提供することにある。
【課題を解決するための手段】
【０００６】
かかる目的を達成するためのこの発明の構成は、両端部のブッシュを介して連結する左右の内プレートと、ブッシュに相対回転自在に挿通するピンを介して連結する左右の外プレートとを交互に屈曲自在に連結してなり、内プレート、外プレートは、それぞれ片側の一辺を同方向の山形に形成し、各ブッシュには、ローラを相対回転自在に装着することをその要旨とする。
【０００７】
なお、各ブッシュは、内プレートの外面に突出する先端を介して、内プレート、外プレートの間に介装するシール材を保持することができ、シール材は、Ｏリングとすることができる。
【発明の効果】
【０００８】
かかる発明の構成によるときは、左右の内プレートは、ブッシュを介して連結され、外プレート側のピンをブッシュに相対回転自在に挿通させることにより、左右の外プレートに対して屈曲自在に連結され、したがって、内プレート、外プレートを交互に連結するフィードチェーンは、全体として屈曲自在に構成されている。なお、ブッシュの両端は、内プレートのブッシュ孔に圧入され、相対回転不能になっており、ピンの両端は、外プレートのピン孔に圧入され、相対回転不能にかしめられている。そこで、内プレートは、ブッシュがピンのまわりに回転することになり、ブッシュの内周面の全体が軸受面積となるから、内プレートの孔の内周面を軸受面積とする従来のものに対し、少なくとも１０倍以上３０倍程度の軸受面積を実現し、２〜５倍程度の耐久性を容易に実現することができる。
【０００９】
また、軸受面積が十分大きいので、内プレートが内側に過大に傾いて外プレートとの間に土砂を噛み込んだり、それによって屈曲性が劣化したり、走行中に大きな横曲がりを生じてガイドレールから脱線したりするおそれがない。なお、フィードチェーンは、組み合わせるスプロケットが小径であるために内プレート、外プレートの屈曲角度が極端に大きい上、穀稈の搬送時に内プレートが外プレートに強く押し付けられるため、屈曲時に過大な摩擦抵抗や騒音を生じ易い。そこで、この発明では、各ブッシュの先端を内プレートの外面に少なくとも０．３〜０．５mm程度突出させて内プレート、外プレートの間に適切な隙間を形成することにより、屈曲時の摩擦抵抗や騒音を大幅に低減させることができる。
【００１０】
内プレートの外面に突出する各ブッシュの先端を介してシール材を保持することにより、ブッシュとピンとの間に封入する潤滑用のオイルの散逸を防ぎ、全体としての耐久性をさらに向上させることができる。なお、シール材は、ブッシュの外径に適合するＯリングであってもよく、内プレート、外プレートの間に挟み込んで軽く弾性変形させることにより、ブッシュ内のオイルを封じることができる。
【発明を実施するための最良の形態】
【００１１】
以下、図面を以って発明の実施の形態を説明する。
【００１２】
農業機械用のフィードチェーンは、左右の内プレート１１、１１、左右の外プレート１２、１２を交互に屈曲自在に連結してなる（図１、図２）。
【００１３】
各内プレート１１、外プレート１２は、片側の一辺を同方向に同一高さの二等片三角形の山形１１ｂ、１２ｂに突出させている。左右の内プレート１１、１１は、両端部のブッシュ２１、２１を介して連結されており、左右の外プレート１２、１２は、ブッシュ２１、２１に相対回転自在に挿通する両端部のピン２２、２２を介して連結されている。なお、各ブッシュ２１には、ローラ２３が相対回転自在に装着されている。各ブッシュ２１の先端は、内プレート１１のブッシュ孔１１ａに圧入して相対回転不能になっており、各ピン２２の先端は、外プレート１２のピン孔１２ａに圧入されて相対回転不能にかしめられている。また、各ブッシュ２１の先端、各ピン２２の先端は、それぞれ内プレート１１の外面、外プレート１２の外面に突出している。そこで、隣接する内プレート１１、外プレート１２の間には、内プレート１１の外面に突出するブッシュ２１の先端を介し、顕著な隙間ｄが形成されている。
【００１４】
かかる農業機械用のフィードチェーンは、ブッシュ２１がピン２２のまわりに相対回転することにより屈曲する。また、ブッシュ２１の内周面の全部が大きな軸受面積を形成するから、耐久性を十分高くすることができる上、内プレート１１が内側に過大に倒れたりすることがない。また、隣接する内プレート１１、外プレート１２の間に隙間ｄを有するため、屈曲時に過大な摩擦抵抗や騒音を生じるおそれもない。
【他の実施の形態】
【００１５】
内プレート１１、外プレート１２の間の隙間ｄには、内プレート１１の外面に突出するブッシュ２１の先端を介し、リング状のシール材２４を介装して保持することができる（図３、図４）。
【００１６】
シール材２４は、たとえばＯリングであって、内プレート１１、外プレート１２の間に挟み込んで軸方向に軽く弾性変形させることにより、ブッシュ２１、ピン２２の間に注油する潤滑用のオイルを封止して保持することができる。なお、シール材２４は、ブッシュ２１、ピン２２を介して内プレート１１、外プレート１２が相対回転する際に過大な摩擦抵抗を生じないものとし、Ｏリングに代えて、適切な弾性材料により単純な平ワッシャ形または短管形に形成してもよい。
【００１７】
この発明に係るフィードチェーンの耐久試験データの一例を図５に示す。ただし、図５において、実施例１、２は、それぞれ図１、図２のフィードチェーン、図３、図４のフィードチェーンであり、比較例１、２は、それぞれＪＩＳ  Ｂ  ９２０４のスタンダードタイプ、バーリングタイプである。また、図５の試験条件は、図６に一括して示すとおりである。
【図面の簡単な説明】
【００１８】
【図１】要部構成平面図
【図２】要部構成側面図
【図３】他の実施の形態を示す図１相当図
【図４】図３の要部拡大図
【図５】試験データを示す線図
【図６】試験条件を示す図表
【符号の説明】
【００１９】
１１…内プレート
１１ｂ…山形
１２…外プレート
１２ｂ…山形
２１…ブッシュ
２２…ピン
２３…ローラ
２４…シール材
特許出願人          株式会社  江沼チヱン製作所
代理人  弁理士                  松  田  忠  秋
【図１】
2009225745.tif 000003
【図２】
2009225745.tif 000004
【図３】
2009225745.tif 000005
【図４】
2009225745.tif 000006
【図５】
2009225745.tif 000007
【図６】
2009225745.tif 000008